(57)【要約】【課題】異なる幅の溝部に同じ部品を用いても、良好な外観を得ることができるとともに、充分な止水性を確保できる目地材を提供する。【解決手段】目地材１は目地材本体２と、目地材本体２を支持する台座３とを備えている。目地材本体２と台座３との間には、これらを連結するために台座３の上面から部分的に突出した連結部１３が複数形成されている。目地幅が大きい目地に使用する場合には台座３を付けたまま使用し、目地幅が小さい目地に使用する場合には連結部で台座３を切り離して使用する。【選択図】        図１
2004360265.tif 000002
【特許請求の範囲】
【請求項１】
芯材と弾性変形可能なヒレ部とを有し、溝部に嵌め込まれる目地材において、
目地材本体の底面には該目地材本体と切り離し可能な台座が形成され、前記台座の幅を前記芯材の幅よりも大きくしたことを特徴とする目地材。
【請求項２】
前記台座と前記目地材本体とは、幅狭の連結部を介して一体に連結されていることを特徴とする請求項１に記載の目地材。
【請求項３】
前記連結部は複数形成され、前記目地材本体の長手方向に延びていることを特徴とする請求項２に記載の目地材。
【請求項４】
前記台座は、幅方向の中心部に柱部を有していることを特徴とする請求項１〜３のうちいずれか一項に記載の目地材。
【請求項５】
前記台座は、前記柱部の少なくとも一部が薄肉に形成されていることを特徴とする請求項４に記載の目地材。
【請求項６】
前記台座には、弾性変形して前記溝部の内面に接触可能なヒレ部が形成されていることを特徴とする請求項１〜５のうちいずれか一項に記載の目地材。
【請求項７】
前記台座は、中空状に形成されていることを特徴とする請求項１〜６のうちいずれか一項に記載の目地材。
【発明の詳細な説明】
【０００１】
【発明の属する技術分野】
本発明は、パネルやタイル等の建築資材を張ったときに生じる継ぎ目（目地）に嵌め込んで止水性や意匠性を確保する目地材に関するものである。
【０００２】
【従来の技術】
従来、この種の目地材が特許文献１等に開示されている。即ち、図１８（ａ）に示すように、目地材５１は同図の左右方向に突出する弾性変形可能な複数のヒレ部５２を有し、目地材５１がパネル５３間に生じた目地溝５４に嵌入されたときにはヒレ部５２が変形した状態で目地溝５４の内側壁５４ａに弾性接触する。
【０００３】
【特許文献１】
実開平５−１６９１３号（第２頁、第１図）
【０００４】
【発明が解決しようとする課題】
しかしながら、図１８（ａ）に示す狭い目地幅Ｗ１では、目地材５１がちょうどよい状態で取り付けられるものの、同じ目地材５１を図１８（ｂ）に示す広い目地幅Ｗ２（＞Ｗ１）の目地溝５４に取り付けると、最外側に位置するヒレ部５２の先端が低い位置で内側壁５４ａと接触することになる。このため、目地溝５４の内側壁５４ａの一部が外部に露出し、戸口が見える状態になって外観が低下するとともに、目地材５１による止水性に悪影響が生じるという問題が生じていた。
【０００５】
本発明は前記の問題点に鑑みてなされたものであって、その目的は、異なる幅の溝部に同じ部品を用いても、良好な外観を得ることができるとともに、充分な止水性を確保できる目地材を提供することにある。
【０００６】
【課題を解決するための手段】
上記問題点を解決するために、請求項１に記載の発明では、芯材と弾性変形可能なヒレ部とを有し、溝部に嵌め込まれる目地材において、目地材本体の底面には該目地材本体と切り離し可能な台座が形成され、前記台座の幅を前記芯材の幅よりも大きくしたことを要旨とする。この発明によれば、溝幅が大きい場合には台座を付けたままで目地材を使用し、溝幅が小さい場合には台座を切り離して目地材を使用することにより、異なる幅の溝部に同じ目地材を使用しても、溝部の壁面が露出しない状態で目地材が取り付けられる。従って、異なる幅の溝部に同じ部品を用いても、外観の低下を招くことがないとともに、充分な止水性を確保可能となる。
【０００７】
また、台座の幅を芯材の幅よりも大きくしたので、目地材を溝部に嵌め込むときに台座が溝部の内面に接触し易くなり、接触した際に台座は溝部の内面から離間する方向に押し戻される。従って、目地材は傾いた取付状態となり難く、ほぼ立った状態で取り付けられることになり、ヒレ部によるシール力にバラツキが生じ難くなり、高い止水性が確保可能となる。
【０００８】
請求項２に記載の発明では、請求項１に記載の発明において、前記台座と前記目地材本体とは、幅狭の連結部を介して一体に連結されていることを要旨とする。この発明によれば、請求項１に記載の発明の作用に加え、台座を目地材本体から簡単に切り離せる。
【０００９】
請求項３に記載の発明では、請求項２に記載の発明において、前記連結部は複数形成され、前記目地材本体の長手方向に延びていることを要旨とする。この発明によれば、請求項２に記載の発明の作用に加え、目地材を押出し成形により簡単に製造することが可能となり、目地材を低コストで製造可能となる。
【００１０】
請求項４に記載の発明では、請求項１〜３のうちいずれか一項に記載の発明において、前記台座は、幅方向の中心部に柱部を有していることを要旨とする。この発明によれば、請求項１〜３のうちいずれか一項に記載の発明の作用に加え、目地材本体が柱部を支点として台座に対し傾くことが可能となり、例えば溝部の底面が傾斜していてもその傾き作用により目地材の取付姿勢が好適な状態を保つこととなる。
【００１１】
請求項５に記載の発明では、請求項４に記載の発明において、前記台座は、前記柱部の少なくとも一部が薄肉に形成されていることを要旨とする。この発明によれば、請求項４に記載の発明の作用に加え、この薄肉部分で台座を切断することにより目地材の高さが変えられるので、溝幅の広狭に対して柔軟に対応可能となる。
【００１２】
請求項６に記載の発明では、請求項１〜５のうちいずれか一項に記載の発明において、前記台座には、弾性変形して前記溝部の内面に接触可能なヒレ部が形成されていることを要旨とする。この発明によれば、請求項１〜５のうちいずれか一項に記載の発明の作用に加え、台座にもヒレ部が形成されているので、シールする部分が増えることになり、止水性が向上する。
【００１３】
請求項７に記載の発明では、請求項１〜６のうちいずれか一項に記載の発明において、前記台座は、中空状に形成されていることを要旨とする。この発明によれば、請求項１〜６のうちいずれか一項に記載の発明の作用に加え、台座自体が上下方向等に大きく変形することが可能となるので、台座を付けている状態でも目地材の位置や姿勢を柔軟に調整することが可能となる。
【００１４】
【発明の実施の形態】
以下、本発明を住宅用の外壁パネル間の継ぎ目（目地）に嵌入される目地材に具体化した一実施形態を図１〜図９に従って説明する。
【００１５】
図１〜図５に示すように、台付き目地材（以下、単に目地材と記す）１は例えばＥＰＤＭゴム等のエラストマーを材質としており、長手方向に連続する長尺状をなすとともに、断面が左右対称形状となっている。この目地材１は適当な長さに切断されて施工に用いられる。なお、本例の左右方向は図１における上下、左右をいうものとする。目地材１は目地材本体２と、目地材本体２の底面に位置する台座３とが一体形成されている。
【００１６】
目地材本体２は中心部に位置し所定の肉厚に形成された芯材４と、その芯材４から左右方向に突出するとともに上下方向に３つ並んだヒレ部５〜７を備えている。上側のヒレ部５と中間のヒレ部６との間には、芯材４を挟んで両側に断面く字形状の屈曲部８が形成されている。また、上側のヒレ部５の上面には２色同時成形による意匠層９が形成され、本例ではその意匠層９とその他の部位とが異なる色となっている。
【００１７】
台座３は断面略エ字形状に形成され、その中心部には上下方向に延びる柱部１０を備えている。柱部１０の上部には目地材本体２を支持する第１支持部１１が形成され、柱部１０の下部には目地材１全体を支える第２支持部１２が形成されている。第２支持部１２の幅Ｌ１は芯材４の幅Ｌ２よりも大きく設定されている。
【００１８】
目地材本体２と台座３との間には、これらを一体に連結するために台座３の上面から部分的に突出した連結部１３が複数（本例は３つ）形成されている。各連結部１３は芯材４や柱部１０よりも幅が小さく設定され、目地材１の長手方向全域に沿って延びている。また、目地材本体２と台座３は連結部１３の部分において比較的小さな力で分離可能となっている。
【００１９】
図６〜図９に示すように、目地材１は住宅用の外壁パネル（建築用ボード）１４，１４の間に生じる目地溝（溝部）１５に嵌入して使用し、この目地部分の止水性を確保するとともに、目地溝１５の開口部位の意匠性を維持する。台座３が目地溝１５の底面１６に接触した取付状態では、ヒレ部５〜７が湾曲して目地溝１５の内側壁（内面）１７に弾性接触した状態となり、止水性が確保された状態となる。
【００２０】
さて、図６に示すように幅が比較的広い目地幅Ｗ２の目地溝１５ａに目地材１を嵌入する場合、台座３を付けたままにしておく。このとき、ヒレ部５〜７が湾曲しその湾曲状態で内側壁１７に弾性接触するが、この取付状態では上側のヒレ部５の先端が外壁パネル１４の外面とほぼ面一の状態となり、目地溝１５の内側壁１７がほとんど露出しないので、止水性が高く外観もよい取付状態となる。
【００２１】
また、取付時において図７に示すように目地材１が目地溝１５に対して傾いた状態（同図の実線で示す状態）で挿入されることがあるが、第２支持部１２の幅Ｌ１は芯材の幅Ｌ２よりも大きく設定されているので、第２支持部１２は一方（同図では左側）の先端が内側壁１７に接触して湾曲した状態となる。このとき、第２支持部１２の先端には真っ直ぐになろうとする力が働き、目地材１が同図の矢印方向に動いて目地溝１５に対して傾きが抑制された状態（同図の二点鎖線で示す状態）となる。従って、傾いたままで目地材１が目地溝１５に取り付けられずに済み、ヒレ部５〜７によるシール部分に偏りが生じ難くなり、高い止水性が確保される。
【００２２】
一方、図８に示すように幅が比較的狭い目地幅Ｗ１の目地溝１５ｂに目地材１を嵌入する場合、台座３を連結部１３の部位で目地材本体２から分離する。そして、目地溝１５ｂに対する目地材１の嵌入状態では、ヒレ部５〜７が大きく湾曲するため、目地材本体２の高さ寸法が大きくなる。このため、上側のヒレ部５の先端が外壁パネル１４の外面とほぼ面一の状態となり、狭い目地幅Ｗ１においても止水性及び外観が確保される。
【００２３】
従って、この実施形態では以下のような効果を得ることができる。
（１）目地材１に台座３を設け、目地幅が広いときには台座３を付けた状態で目地溝１５に嵌入し、目地幅が狭いときには台座３を目地材本体２から切り離して使用する構成とした。従って、同じ目地材１を目地幅の異なる目地溝１５ａ、１５ｂに共通使用しても、その取付状態では目地溝１５ａ，１５ｂともにその内側壁１７がほとんど露出せずに済み、水が目地溝１５ａ，１５ｂに侵入し難くなって止水性を確保できる。また、この取付状態では上側のヒレ部５の先端と外壁パネル１４の上面がほぼ面一となるので、外観もよい。
【００２４】
（２）第２支持部１２の幅Ｌ１は芯材の幅Ｌ２よりも大きく設定されているので、目地材１が傾いた状態で目地溝１５に挿入されても、湾曲して目地溝１５の内側壁１７に接触した第２支持部１２が元の真っ直ぐの状態に戻ろうとする変形作用により、目地材１は目地溝１５内部で、ほぼ立った状態となる。従って、傾いたままで目地材１が目地溝１５に取り付けられずに済み、ヒレ部５〜７によるシール部分に偏りが生じ難くなり、高い止水性を確保することができる。
【００２５】
（３）目地材本体２と台座３との連結部位である連結部１３は、切り離し易くなるように他の部位に比べて幅狭に形成されているので、台座３を簡単に切り離すことができる。
【００２６】
（４）連結部１３は目地材１の長手方向全域に沿って延びる構成であるので、押出し成形により簡単に製造することができ、製造コストを低くすることができる。
【００２７】
（５）台座３は断面略エ字形状に形成されているので、各支持部１１，１２は柱部１０を支点として一方が他方に対して傾くことが可能である。従って、図９に示すように目地溝１５の底面１６が傾斜していても、その傾斜に合わせて下側の第２支持部１２が傾斜することになり、目地材本体２は目地溝１５の内側壁１７に対して好適な姿勢を保った状態となる。このため、ヒレ部５〜７によるシール力にバラツキが生じ難くなり、高い止水性を確保できる。また、底面１６が傾いていても、ヒレ部５の先端を外壁パネル１４の外面とほぼ同一に位置させることができるので、良好な外観を保つこともできる。
【００２８】
なお、実施形態は前記に限定されず、例えば図１０〜図１７に示す次の態様に変更してもよい。ここで、以下に示す態様は上記実施形態と基本的な構造は同じであるので、異なる部分についてのみ説明する。また、図１０〜図１６の各例は側面図のみを示したが、他の面も前記実施形態と同様な形態で表れるものとする。
【００２９】
・  図１０に示すように、台座３の柱部１０の肉厚を前記実施形態よりも薄くしてもよい。この場合、柱部１０で台座３を容易に切断でき、これにより台座３を２分割することができる。従って、目地材１の全体高さをより柔軟に調節でき、多くの目地幅の目地溝に対応できる。
【００３０】
・  図１１に示すように、台座３を充実の断面台形状としてもよい。この場合、目地材１は左右方向に傾き難くなるので、例えば目地溝１５の底面１６が水平で、それに沿って目地材１を真っ直ぐ立たせたい場合には、同図に示す目地材１を用いればよい。
【００３１】
・  図１２に示すように、台座３の下側の支持部１２の先端を、さらに突出させてヒレ部２１を形成してもよい。この場合、目地材１全体としてヒレ部の個数が増えることにより、シールする部分が増えて止水性が一層向上する。
【００３２】
・  図１３に示すように、台座３の柱部１０の両側部に切欠部２２を形成して柱部１０の一部を薄肉としてもよい。この場合、切欠部２２で台座３を容易に切断でき、１つの部品で多くの目地幅に対応できる。また、連結部１３の個数は３つに限らず、同図に示すように２つとしてもよいし、或いは１つや４つ以上を採用してもよい。
【００３３】
・  図１４に示すように、目地材本体２の上側のヒレ部５を略平板状としてもよい。また、上側のヒレ部５と中間のヒレ部６とを繋ぐ屈曲部８を省略してもよい。
【００３４】
・  図１５に示すように、台座３を中空状にして内部に空間部２３を形成してもよい。この場合、台座３が上下、左右方向に容易に変形可能となるので、目地材１は台座３を付けたままであっても、台座３の変形作用により上下方向の高さや傾斜角度が容易に変化する。従って、この変化分だけ目地幅変化や目地溝１５の傾斜に対してに対応可能となり、汎用性が増す。
【００３５】
・  図１６に示すように、第１支持部１１の左右両側にヒレ部２４を設けてもよい。また、第１支持部１１とともに第２支持部１２にもヒレ部２５を設けて、第１支持部１１及び第２支持部１２の両方がヒレ部を有する構成としてもよい。
【００３６】
・  実施形態及び図１０〜１６に記載の目地材１の特徴的構成を組み合わせてもよい。例えば、柱部１０を薄肉とした構成（図１０参照）と、台座３にヒレ部２１を設ける構成（図１２参照）とを組み合わせてもよい。また、同様に図１２に示す構成と、台座３に空間部２３を設ける構成（図１５参照）とを組み合わせてもよい。
【００３７】
・  目地材１の意匠層９は、例えば図１７に示すように表面９ａにシボ面を有する形状としてもよい。
・  目地材の素材はゴムに限らず、合成樹脂や金属を用いてもよい。
【００３８】
【発明の効果】
以上詳述したように本発明によれば、取付先の溝部の溝幅に応じて台座を切り離して使用することで、異なる幅の溝部に対して良好な意匠性を維持するとともに、充分な止水性を確保できる。
【図面の簡単な説明】
【図１】一実施形態に示す目地材の側面図。
【図２】目地材の平面図。
【図３】目地材の底面図。
【図４】目地材の正面図。
【図５】図４のＩＩ−ＩＩ線断面図。
【図６】台座付き目地材の使用状態を示す断面図。
【図７】台座付き目地材の使用状態を示す模式断面図。
【図８】台座無し目地材の使用状態を示す断面図。
【図９】目地溝の底面が傾いたときの使用状態を示す断面図。
【図１０】別例に示す目地材の側面図。
【図１１】他の別例に示す目地材の側面図。
【図１２】他の別例に示す目地材の側面図。
【図１３】他の別例に示す目地材の側面図。
【図１４】他の別例に示す目地材の側面図。
【図１５】他の別例に示す目地材の側面図。
【図１６】他の別例に示す目地材の側面図。
【図１７】他の別例に示す目地材の側面図。
【図１８】（ａ），（ｂ）は従来の使用状態を示す断面図。
【符号の説明】
１…目地材、２…目地材本体、３…台座、４…芯材、５〜７，２１，２４，２５…ヒレ部、１０…柱部、１３…連結部、１５（１５ａ，１５ｂ）…溝部としての目地溝、１７…内面としての内側壁。
【図１】
2004360265.tif 000003
【図２】
2004360265.tif 000004
【図３】
2004360265.tif 000005
【図４】
2004360265.tif 000006
【図５】
2004360265.tif 000007
【図６】
2004360265.tif 000008
【図７】
2004360265.tif 000009
【図８】
2004360265.tif 000010
【図９】
2004360265.tif 000011
【図１０】
2004360265.tif 000012
【図１１】
2004360265.tif 000013
【図１２】
2004360265.tif 000014
【図１３】
2004360265.tif 000015
【図１４】
2004360265.tif 000016
【図１５】
2004360265.tif 000017
【図１６】
2004360265.tif 000018
【図１７】
2004360265.tif 000019
【図１８】
2004360265.tif 000020